(57)【要約】    【課題】  塵埃が溜まり易く比較的狭隘な清掃対象面を拭く場合に、塵埃を奥へ押し込むことなく効果的に清掃を行い得るモップ支持具。    【解決手段】  モップ支持具Ｓは払拭材Ｗを支持するモップ支持部１０と伸縮柄１２からなる。モップ支持部１０は後端基部１４と後端基部１４から前方に並列状に突設した一対の細長平板状部１６ａからなる挿入支持部１６と、後端基部１４から立ち上げた立上部１８と、立上部１８の先端部から上方に突設した連結部２０からなる。後端基部１４の底面である後部底面１４ａは平面状をなし、挿入支持部１６の底面である前方底面１６ａは後部底面１４ａに対し前方へ上方傾斜している。挿入支持部１６の先端上面１６ｂは、前方へやや下降傾斜している。モップ支持部１０の連結部２０に、伸縮柄１２の基部を、回転軸線が水平状をなすヒンジ部２２を介してそのヒンジ部２２のまわりに回動可能なよう連結する。【選択図】      図２
2007117118.tif 000002
【特許請求の範囲】
【請求項１】
払拭材を支持するためのモップ支持部と、そのモップ支持部の上方の後方側に連結された操作部とを備えてなるモップ支持具であって、
前記モップ支持部は、後部の底側に形成される後部底面に対し、その前方の底面である前方底面は前方に向かって漸次上昇していることを特徴とするモップ支持具。
【請求項２】
モップ支持部の後端と前後中間部との間の位置の上方にヒンジ部が位置し、ヒンジ部を介して操作部が連結されてなる請求項１記載のモップ支持具。
【発明の詳細な説明】
【技術分野】
【０００１】
本発明は、払拭材を支持して清掃するためのモップ支持具に関する。
【背景技術】
【０００２】
特許第３６９１０５２号公報（特許文献１）には、モップ本体の隙間に挿入してモップ本体を取り付けるための扁平で水平な２つの差込板を有する取付け部と、この取付け部から後上方に延びる把持部とを有するモップ用の把手が記載されている。
【０００３】
このモップ用の把手における取付け部にモップ本体を取り付けて床面を拭く場合に、家具や家庭電化製品の下方や側方の隙間のように塵埃が溜まり易い床面を拭くと、モップ本体が前方に移動する際には床面上の塵埃を奥へ押し込むことになり、モップ本体が後退する際には、押し込んだ塵埃を奥に残して床面を拭くことになりがちである。
【特許文献１】特許第３６９１０５２号公報
【発明の開示】
【発明が解決しようとする課題】
【０００４】
本発明は、従来技術に存した上記のような課題に鑑み行われたものであって、その目的とするところは、塵埃が溜まり易く比較的狭隘な清掃対象面を拭く場合においても、塵埃を奥へ押し込むことなく効果的に清掃を行い得るモップ支持具を提供することにある。
【課題を解決するための手段】
【０００５】
上記目的を達成する本発明のモップ支持具は、
払拭材を支持するためのモップ支持部と、そのモップ支持部の上方の後方側に連結された操作部とを備えてなるモップ支持具であって、
前記モップ支持部は、後部の底側に形成される後部底面に対し、その前方の底面である前方底面は前方に向かって漸次上昇していることを特徴とする。
【０００６】
払拭材を支持したモップ支持部に、そのモップ支持部の上方の後方側に連結された操作部を把持し、モップ支持部に支持した払拭材により床面等を拭く。床面等、特に家具や家庭電化製品の下方の床面や側方の隙間上の床面のように塵埃が溜まり易い清掃対象面を拭く場合、操作部を前方へ移動させてモップ支持部を前進させる際は、モップ支持部の位置と操作者の距離が徐々に離れるので、モップ支持部は、後部底面において支持され、前方に向かって漸次上昇する前方底面が適度に浮いた状態となり易く、操作部を後方へ移動させてモップ支持部を後退させる場合は、モップ支持部の位置と操作者の距離が徐々に縮まるので、モップ支持部の前方底面が床面等に近接する状態となり易い。
【０００７】
従って、前進時はモップ支持部の先端側が適度に浮いた状態として、床面等の上の塵埃を奥へ押し込まないようにし、後退時は先端側が下がることによって塵埃を払拭材により床面上に押さえながら手前に拭き出すことを容易に行い得る。
【０００８】
また本発明のモップ支持具は、モップ支持部の後端と前後中間部との間の位置の上方にヒンジ部が位置し、ヒンジ部を介して操作部が連結されてなるものとすることが好ましい。
【０００９】
床面や壁面等の清掃対象面に、モップ支持部に支持した払拭材を当てながらヒンジ部における角度を変化させつつ前後移動させる際に、操作部が後方に位置する場合、モップ支持部の前方が上方に傾斜することとなり易い。ところが、モップ支持部の後端と前後中間部との間の位置の上方にヒンジ部が位置し、ヒンジ部を介して操作部が連結されているため、モップ支持部のうちヒンジ部よりも後方の部分が清掃対象面に支持され、これにより、モップ支持部の前方が上方に傾斜しすぎることが防がれる。
【発明の効果】
【００１０】
本発明のモップ支持具によれば、床面等、特に家具や家庭電化製品の下方の床面や側方の隙間上の床面のように塵埃が溜まり易く比較的狭隘な清掃対象面を拭く場合に、前進時はモップ支持部の先端側が適度に浮いた状態として、床面等の上の塵埃を奥へ押し込まないようにし、後退時は先端側が下がることによって塵埃を払拭材により床面上に押さえながら手前に拭き出すようにすることにより、清掃効果を高めることが容易である。
【発明を実施するための最良の形態】
【００１１】
本発明の実施の形態を、図面を参照しつつ説明する。
【００１２】
図面は何れも本発明のモップ支持具の実施の形態の一例に関するものであって、図１は斜視図、図２は前方底面が前向きに漸次上昇する状態の要部正面図、図３は要部平面図、図４は前方底面が水平状をなす状態の要部正面図である。
【００１３】
モップ支持具Ｓは、払拭材Ｗを支持するためのモップ支持部１０と、伸縮柄１２（操作部）からなる。
【００１４】
払拭材Ｗの例としては、不織布製の払拭材、繊維の略並列集合層と不織布層が結合した払拭材、モップ糸等を挙げることができる。好適なものの例としては、繊維の略並列集合層と不織布層が結合した払拭材が挙げられる。
【００１５】
モップ支持部１０は、後端基部１４と、後端基部１４から前方に向かって並列状に突設された一対の細長平板状部１６ａからなる挿入支持部１６と、後端基部１４から前上方に立ち上げられた立上部１８と、立上部１８の先端部から上方に突設された連結部２０からなる。この例では、連結部２０は、モップ支持部１０の後端から前方へ前後方向長の４分の１程度の位置の上方に位置する。
【００１６】
挿入支持部１６は一対の並列状をなすものには限らず、例えば一つの平板状をなすものであってもよく、平板以外の形状をなすものとすることもできる。なお、挿入支持部は、ある程度弾性的にたわみ易い材料及び形状からなるものであることが好ましい。
【００１７】
後端基部１４の底面である後部底面１４ａは平面状をなし、挿入支持部１６の底面である前方底面１６ｂは、後部底面１４ａに対し、前方に向かって上向きに傾斜（約３度の傾斜）し、前端に至っている。この傾斜角は、例えば１−５度、好ましくは２−４度であり、ほぼ一定傾斜角とすることができる。挿入支持部１６の先端上面１６ｃは、払拭材Ｗの挿入部への挿入を円滑にするために前方に向かってやや下降傾斜している。なお、後部底面１４ａ及び前方底面１６ｂは、それぞれ、例えば全体が平面状の底面であってもよく、突条部の底面等であってもよい。
【００１８】
この例におけるモップ支持部１０は、挿入支持部１６を払拭材Ｗの挿入部に挿入して払拭材Ｗを結合するものであるが、挿入以外の手段（例えば面ファスナー等）により払拭材をモップ支持部に結合させることもできる。また、モップ支持部は前後方向を長手方向とするものであることが好ましい。
【００１９】
モップ支持部１０の連結部２０には、伸縮柄１２の基部が、回転軸線が水平状をなすヒンジ部２２を介してそのヒンジ部２２のまわりに回動可能なように連結されている。なお操作部は、例えば、伸縮柄に限らず非伸縮の柄がヒンジ部を介して連結されていてもよく、モップ支持部に対し固定された把手、柄、伸縮柄とすることもできる。
【００２０】
払拭材Ｗの挿入部に挿入支持部１６を挿入してモップ支持部１０に払拭材Ｗを結合させ、そのモップ支持部１０の後端と前後中間部との間の位置の上方に位置する水平状回転軸線のヒンジ部２２を介して連結された伸縮柄１２を後上方に位置させ、その伸縮柄１２の先端の把持部１２ａを把持した状態で、払拭材Ｗにより床面等を拭いて清掃を行うことができる。
【００２１】
家具や家庭電化製品の下方の床面や側方の隙間上の床面のように塵埃が溜まり易い清掃対象面を拭く場合、伸縮柄１２の把持部１２ａを前方へ移動させてモップ支持部１０を前進させる際は、モップ支持部１０の位置と操作者の距離が徐々に離れ、伸縮柄１２の傾斜角が次第に減少するので、モップ支持部１０は、後部底面１４ａにおいて支持され、図２に示すように前方に向かって漸次上昇する前方底面１６ｂが適度に浮いた状態となり易い。把持部１２ａを後方へ移動させてモップ支持部１０を後退させる場合は、モップ支持部１０の位置と操作者の距離が徐々に縮まって、伸縮柄１２の傾斜角が次第に増大するので、図４に示すようにモップ支持部１０の前方底面１６ｂが床面等に近接する状態となり易い。
【００２２】
一方、モップ支持部１０に支持した払拭材Ｗを床面等に当てながらヒンジ部２２における角度を変化させつつ前後移動させる際に、伸縮柄１２がモップ支持部１０の後方に位置する場合、モップ支持部１０の前方が上方に傾斜することとなり易い。ところが、モップ支持部１０の後端と前後中間部との間の位置の上方に水平状回転軸線のヒンジ部２２が位置し、そのヒンジ部２２を介して伸縮柄１２が連結されているため、モップ支持部１０のうちヒンジ部２２よりも後方の後端基部１４が床面等に支持され、これにより、モップ支持部１０の前方が上方に傾斜しすぎることが防がれる。
【００２３】
従って、前進時はモップ支持部１０の先端側が適度に浮いて、払拭材Ｗにより床面等の上の塵埃を奥へ押し込まないようにすることが容易であり、後退時は先端側が下がることによって塵埃を払拭材Ｗにより床面上に押さえながら手前に拭き出すことが容易である。
【００２４】
なお、以上の実施の形態についての記述における上下位置関係は、単に図に基づいた説明の便宜のためのものであって、実際の使用状態等を限定するものではない。
【図面の簡単な説明】
【００２５】
【図１】斜視図である。
【図２】前方底面が前向きに漸次上昇する状態の要部正面図である。
【図３】要部平面図である。
【図４】前方底面が水平状をなす状態の要部正面図である。
【符号の説明】
【００２６】
１０      モップ支持部
１２      伸縮柄
１２ａ    把持部
１４      後端基部
１４ａ    後部底面
１６      挿入支持部
１６ａ    細長平板状部
１６ｂ    前方底面
１６ｃ    先端上面
１８      立上部
２０      連結部
２２      ヒンジ部
Ｓ        モップ支持具
Ｗ        払拭材
【図１】
2007117118.tif 000003
【図２】
2007117118.tif 000004
【図３】
2007117118.tif 000005
【図４】
2007117118.tif 000006